(57)【要約】  鼻拡張器は、鼻の第１鼻腔及び第２鼻腔の外壁組織を係合するように適合された水平方向領域を有する単位の本体トラスとして鼻拡張器を構成する鉛直方向に積層された複数の材料層から成る積層対を有する。トラスは、機能要素と、係合要素と、方向性要素とを有する。使用されるとき、鼻拡張器は、鼻外壁組織を安定化し又は拡張して、その鼻外壁組織が呼吸中に内向きに引き込まないようにする。
2014513559.tif 000002
【特許請求の範囲】
【請求項１】
単一の本体トラスとして構成される鼻拡張器であって：
前記トラスの第１終端領域から中間領域を介して前記トラスの第２終端領域まで延びている弾性層であって、該弾性層は、前記トラスの少なくとも前記中間領域に沿って長手方向に伸延している１つ乃至６つの弾性部材を有し、少なくとも１つの弾性部材は、前記トラスの端縁の一部まで延びて該トラスの端縁の一部と一致している終端を有する、弾性層；
を有する鼻拡張器であり、
複数の鼻拡張器が、少なくとも長い終端の少なくとも一部に一致する共通ラインに沿ってダイカットされることが可能であるように、当該鼻拡張器は、横方向中心線及び長手方向中心線の向かい合った側に関して対称的であるように構成された周縁を有する；
鼻拡張器。
【請求項２】
２つの連続的な鼻拡張器の２つの向かい合った終端領域が、隣接する鼻拡張器の向かい合ったタブ伸延部間の共通ラインに関して実質的に入れ子式になるように、鼻拡散器周縁は、共通ラインに関して入れ子式になるように構成される、請求項１に記載の鼻拡張器。
【請求項３】
前記弾性層は少なくとも２つの弾性部材を有し、少なくとも一の弾性部材は：
前記トラスの前記中間領域の少なくとも一部に一致する実質的に矩形の部分；
前記トラスの長手方向の伸延に対して平行な方向から横方向に発散している構成要素；  前記トラスの少なくとも１つの端縁領域に一致している次第に幅が変化する部分；又は  弧状の長い終端；
の少なくとも一により特徴付けられる、請求項１に記載の鼻拡張器。
【請求項４】
少なくとも１つの弾性部材の少なくとも一部に係合する係合要素であって、該係合要素はベース層及びカバー層の少なくとも一を有し、前記係合要素は、当該鼻拡張器の周縁の少なくとも実質的に一部を画定する、係合要素を更に有する、請求項１に記載の鼻拡張器。
【請求項５】
単一の本体トラスとして構成される鼻拡張器であって：
前記トラスの第１終端領域から中間領域を介して前記トラスの第２終端領域まで延びている弾性層であって、該弾性層は、前記トラスの少なくとも前記中間領域に沿って長手方向に伸延している１つ乃至６つの弾性部材を有し、少なくとも１つの弾性部材は、前記トラスの端縁の一部まで延びて該トラスの端縁の一部と一致している終端を有し、少なくとも１つの弾性部材の少なくとも１つの長い終端は、前記トラスの長手方向の伸延に対して平行な方向から離れて斜めの角度で又は弧状に発散する、弾性層；
を有する鼻拡張器。
【請求項６】
各々の弾性部材は実質的に平行な長い終端を有する、請求項５に記載の鼻拡張器。
【請求項７】
少なくとも１つの弾性部材は、前記トラスの前記中間領域の少なくとも一部に一致する実質的に矩形の部分を有する、請求項５に記載の鼻拡張器。
【請求項８】
少なくとも１つの弾性部材は、第１長さ、第１幅及び第１厚さを有し、少なくとも１つの他の弾性部材は、前記第１厚さ以上の厚さ、前記第１幅以上の幅及び前記第１長さ以上の長さを有する、請求項５に記載の鼻拡張器。
【請求項９】
前記トラスの少なくとも１つの端縁から内向きに延びている少なくとも１つの材料分離部を更に有する、請求項５に記載の鼻拡張器。
【請求項１０】
少なくとも１つの弾性部材の少なくとも一部に係合する係合要素であって、該係合要素はベース層及びカバー層の少なくとも一を有し、前記係合要素は、当該鼻拡張器の周縁の少なくとも実質的に一部を画定する、係合要素を更に有する、請求項５に記載の鼻拡張器。
【請求項１１】
前記ベース層は、前記弾性層の前記周縁に少なくとも一致する周縁を有し、該周縁の少なくとも一部は、前記トラスの周縁の内側に位置付けられる、請求項５に記載の鼻拡張器。
【請求項１２】
周縁を有する保護剥離ライナーであって、前記周縁は、前記トラスの少なくとも長い終端の外側に広がり、当該鼻拡張器の使用前にユーザ装着用のリップ部を有する、保護剥離ライナーを更に有する、請求項５に記載の鼻拡張器。
【請求項１３】
前記トラスの１つの端縁から内向きに延びる少なくとも１つの材料分離部を更に有する、請求項５に記載の鼻拡張器。
【請求項１４】
単一の本体トラスとして構成される鼻拡張器であって：
前記トラスの第１終端領域から中間領域を介して前記トラスの第２終端領域まで延びている弾性層であって、該弾性層は、前記トラスの少なくとも前記中間領域に沿って長手方向に伸延している１つ乃至６つの弾性部材を有し、少なくとも１つの弾性部材は、前記トラスの端縁の一部まで延びて該トラスの端縁の一部と一致している終端を有し、前記弾性層は、少なくとも１つの弾性部材が、第１長さ、第１幅及び第１厚さを有し、少なくとも１つの他の弾性部材は、前記第１長さ以上の長さ、前記第１幅以上の幅及び前記第１厚さ以上の厚さを有することを特徴とする、弾性層；
を有する鼻拡張器。
【請求項１５】
前記弾性部材は弧状部分又は発散性部分を有する、請求項１４に記載の鼻拡張器。
【請求項１６】
各々の弾性部材は：
前記トラスの前記中間領域の少なくとも一部に一致する実質的に矩形の部分；
前記トラスの長手方向の伸延に対して平行な方向から横方向に発散している構成要素；  前記トラスの少なくとも１つの端縁領域に一致している次第に幅が変化する部分；又は  弧状の長い終端；
の少なくとも一により特徴付けられる、請求項１に記載の鼻拡張器。
【請求項１７】
少なくとも１つの弾性部材は、第１長さ、第１幅及び第１厚さを有し、少なくとも１つの他の弾性部材は、前記第１厚さ以上の厚さ、前記第１幅以上の幅及び前記第１長さ以上の長さを有する、請求項１４に記載の鼻拡張器。
【請求項１８】
前記ベース層は、前記弾性層の前記周縁に少なくとも一致する周縁を有し、該周縁の少なくとも一部は、前記トラスの周縁の内側に位置付けられる、請求項１４に記載の鼻拡張器。
【請求項１９】
前記トラスの１つの端縁から内向きに延びる少なくとも１つの材料分離部を更に有する、請求項１４に記載の鼻拡張器。
【請求項２０】
周縁を有する保護剥離ライナーであって、前記周縁は、前記トラスの少なくとも長い終端の外側に広がり、当該鼻拡張器の使用前にユーザ装着用のリップ部を有する、保護剥離ライナーを更に有する、請求項１４に記載の鼻拡張器。
【発明の詳細な説明】
【技術分野】
【０００１】
（関連出願）
本出願は、２０１０年１２月１０日に出願された米国非仮特許出願第１２／９６４７４６号明細書の優先権の利益を主張する。
【０００２】
本発明は、人間の外側の組織を拡張する装置及び方法に関する。好適な実施形態において開示し且つ教示しているように、組織拡張装置は、鼻弁及び鼻前庭領域を含む人間の鼻の鼻腔通路に隣接し且つ覆っている鼻外壁組織のために特に適切であり、その鼻外壁組織に対して主に方向付けられる。アメリカ食品医薬品局は、外側鼻拡張器をクラスＩの医療用装置として分類している。
【背景技術】
【０００３】
人間の集団の一部は、呼吸を妨げる鼻腔、鼻中隔彎曲を有し、感染又はアレルギー反応のための腫れ、若しくは環境湿度の変化のための炎症によるある異常を有する。内側鼻腔壁の一部は、吸入中に引き込まれ、空気の流れを実質的に妨げ得る。異常の結果としての鼻腔の閉塞、通常の風邪又は季節アレルギーは、特に夜に不快であり、睡眠障害、異常及び一般的不快感に繋がり得る。
【０００４】
外側鼻拡張装置は使用中に、鼻梁において固定され、鼻梁の各々の側の外壁組織に渡って拡張され、接着剤によりそれに固定される。弾性部材（又は、ばね部材、弾性バンド又はばねバンドとも呼ばれる）が、その鼻拡張装置内に組み込まれる又は加えられる。弾性部材は、縦方向に２つの近接した平行な部材に分けられることが可能である。湾曲がその装置の中間領域から向かい合った終端領域に延びていて、鼻腔通路の外壁組織を拡張する又は安定化させるように外向きに引っ張る。これは、鼻腔内の空気流抵抗を低減し、鼻呼吸における対応する容易さ又は改善をもたらす。
【０００５】
弾性部材は典型的には、弾性又はばね付勢力を１５ｇ乃至３５ｇの範囲内で生成する。１５ｇ以下のばね付勢力を有する鼻拡張器は適切な安定性又は拡張性をもたらし得ない一方、３５ｇ異常のばね付勢力は、殆どのユーザにとって不快である。より強いばね付勢を持ちこたえるように、より積極的な接着剤、より多い量の接着剤又はより接着性の高い表面領域を用いることによると、その装置の取り外し時に組織への損傷の可能性は高くなる。
【０００６】
現在の外部鼻拡張器の例については、米国特許第６４５３９０１号明細書、米国特許第Ｄ３７９５１３号明細書、米国特許第Ｄ４２９３３２号明細書、米国特許第Ｄ４３０２９５号明細書、米国特許第Ｄ４３２６５２号明細書、米国特許第Ｄ４３４１４６号明細書、米国特許第Ｄ４３７６４１号明細書及び米国特許出願公開第１２／０２４７６３号明細書、米国特許出願公開第１２／１０６２８９号明細書、米国特許出願公開第１２／４０２２１４号明細書、米国特許出願公開第１２／９６４７４６号明細書に開示されていて、それらの開示の全てが本明細書において参考により援用される。外部鼻拡張器の従来技術の小数部分は、現在の消費者小売市場における大量生産のために、故に商業化のために利用可能である。鼻外リップとして集合的に知られている、商品化されている鼻拡張器の例としては、米国特許第Ｄ３７９５１３号明細書、米国特許第６４５３９０１号明細書、米国特許第５５３３５０３号明細書、米国特許第５５４６９２９号明細書、米国特許第ＲＥ３５４０８号明細書、米国特許第７１１４４９５号明細書に開示されている装置及び整形外科用接着剤についての西国実用新案第２８９−５６１号に基づく特定の装置がある。
【０００７】
上記の例の装置は、ユーザの大部分の鼻外壁組織を拡張する又は安定化させる一方、当該技術分野においては、商業的に実現可能な鼻拡張装置において多様性及び複合性を提供し、鼻拡大装置を係合するように鼻腔に隣接する制限された肌表面領域と、有効な且つ快適なばね付勢力の狭い範囲と、有効性、快適性及び係合期間に影響するばね付勢剥離力と接着係合との間の動的関係と、大量生産基準で経済的に製造する複合鼻拡大装置とを含む特定の鼻拡張固有の制約を克服する必要がある。
【０００８】
外側鼻拡張器の特定の固有の制約は、張力と共に、肌表面から装置を係合解除する役割を果たす、その向かい合った終端領域における剥離力をばね付勢が生成することである。米国特許第５５３３５０３号明細書、米国特許第６４５３９０１号明細書及び米国特許出願公開第１２／１０６２８９号明細書に開示されている拡張装置は、剥離力の影響を軽減するように又は剥離力の少なくとも一部をせん断力に変換するように寄与する設計を有する。したがって、拡張器設計と屈曲ばね付勢力とその有効性との間には動的関係が存在する。本発明は、この関係に対処するように上記従来技術に立脚して、拡張器の機能及び快適さを更に改善する。
【０００９】
従来技術における鼻拡張装置は、鼻梁の中心線に対して位置合わせされた装置中央線の各々の側に関して典型的には対称的である。その中心線の各々の側に関して拡張装置の各々の半分は、他の半分の鏡像である。同様に、長手方向に沿って分けられたその装置の各々の長手方向の半分は典型的には、他の長手方向の半分の鏡像である。しかしながら、対称性は、製造経済性を得るためには、拡張器設計には組み込まれていない。複数の拡張装置が、それらの長い終端に一致する共通ライン上でダイカットされる場合が限られた例外である。しかしながら、この技術は、長手方向に沿って一定の幅を有する装置であって、より広い終端領域及びより狭い中間部分を有する拡張器設計が一般に、より快適であり且つより効果的である、装置によって容易化される。本発明においては、拡張装置の設計において対称性を用いる新規な手段について開示していて、故に、拡張装置及びその装置を構成する複数の層が共通の長手方向のライン上に形成されることが可能である。
【００１０】
複合弾性部材については、鼻拡張器の従来技術において開示されているが、商業的に入手可能な鼻ストリップ製品においては一般に実施されてはいない。例えば、米国特許第６４５３９０１号明細書の図１２、１７、２０及び２２においては、連続的な相互接続される弾性部材を構成する方法を含む拡張装置における複合弾性部材構造が示されている。しかしながら、相互接続される弾性部材の周囲に且つそれらの間に広がるかなりの量の材料が損失される。弾性部材が形成される好適に且つ共通に用いられる材料は、その装置で用いられる他の材料より測定単位当たりのコストはかなり高い。したがって、単純な弾性部材構造は商業化される拡張装置においては広く行き渡るものである。本発明においては、複数の発散構成要素又は弧形状又は弧状形状を有する複合弾性部材構造であって、各々が、従来技術においてみられた単純な弾性部材構造のように効率的に且つ経済的に製造されるように構成される、複合弾性部材構造について開示されている。
【先行技術文献】
【特許文献】
【００１１】
【特許文献１】米国特許第６４５３９０１号明細書
【特許文献２】米国特許第Ｄ３７９５１３号明細書
【特許文献３】米国特許第Ｄ４２９３３２号明細書
【特許文献４】米国特許第Ｄ４３０２９５号明細書
【特許文献５】米国特許第Ｄ４３２６５２号明細書
【特許文献６】米国特許第Ｄ４３４１４６号明細書
【特許文献７】米国特許第Ｄ４３７６４１号明細書
【特許文献８】米国特許出願公開第１２／０２４７６３号明細書
【特許文献９】米国特許出願公開第１２／１０６２８９号明細書
【特許文献１０】米国特許出願公開第１２／４０２２１４号明細書
【特許文献１１】米国特許出願公開第１２／９６４７４６号明細書
【特許文献１２】米国特許第５５３３５０３号明細書
【特許文献１３】米国特許第５５４６９２９号明細書
【特許文献１４】米国特許第ＲＥ３５４０８号明細書
【特許文献１５】米国特許第７１１４４９５号明細書
【特許文献１６】西国実用新案第２８９−５６１号
【発明の概要】
【課題を解決するための手段】
【００１２】
本発明においては、外側組織を拡張するための新規な、有用な及び進歩性を有する装置について、教示し、図示し、有効にし、例示し、説明し、権利を要求している。本発明は、従来技術に立脚して、当該技術分野で満たされていない要求に対処するものである。本発明の鼻拡張器は、係合要素と、機能要素と、方向性要素とを有する。鼻拡張器の機能要素は、長手方向に沿って延びる少なくとも１つ乃至６つの弾性部材を有し、当該鼻拡張器のばね付勢力を与える弾性手段を有する。使用中、係合要素は、係合手段を介してユーザの鼻に拡張器を取り付ける。方向性要素は、全体的な有効性、使用期間、快適性及び使用の容易性を向上させるように、拡張器のばね付勢特徴に影響を与え、変化を与え、方向付け、又は再方向付ける。
【００１３】
本発明の鼻拡張器は、単一の本体トラスとしての拡張器を構成する鉛直方向に積層された複数の材料層の積層体を有する。拡張器の複数の層は、少なくとも１つの層の少なくとも一の層の平坦な表面の少なくとも一部に備えられた接着性基板により互いに好適に係合され、その結果としての積層体が単一の又は単独の本体トラスを構成する。各々の層は１つ又はそれ以上の部材を有し、１つの部材は更に、１つ又はそれ以上の構成要素を有する。係合要素、機能要素及び方向性要素の各々は、その鼻拡張器の少なくとも１つの層の少なくとも一部により画定される。
【００１４】
単独の本体トラスは、第１及び第２鼻腔のそれぞれの外壁組織を係合するように適合された第１及び第２終端領域と、第１鼻腔と第２鼻腔との間に位置する鼻の部分を横断するように適合された中間部分とを有し、それらの終端領域を結合する水平方向領域を有する。トラスは、屈曲されたときにその前の屈曲された状態に実質的に戻るような弾性変形が可能である。使用中に、拡張器は鼻外壁組織を安定化し、その組織を呼吸中に内向きに引き込まないようにするように、鼻外壁を更に拡大させる又は拡張させることが可能である。トラスは、係合される肌表面において快適であるように、及び僅かな応力を容易に取り除けるように又は応力がないように構成される。
【００１５】
本発明の主な目的は、高効率で経済的に製造されることが可能である複合的機能要素構造を有する新規な鼻拡張装置を提供することである。
【００１６】
本発明は例示されている又は説明されている実施形態に限定されるものではなく、それらの実施形態は、本発明の主題を理解する上でユーザの助けとなるように意図されている。好適な実施形態は、本明細書で教示され、有効にされ、説明され、例示され、権利が要求されている実施形態により理解することができる形態の例である。同様の機能を具現化するすべての構造及び方法は、それによって網羅されるように意図されている。本明細書で図示され、教示され、有効にされ、開示されている鼻拡張器は、種々の代替の実施形態を有する新規の、有用な且つ進歩性のある装置のファミリーを示している。拡張器の要素、層、部材、材料又は領域は、図示している又は説明しているものと異なる大きさ、領域、厚さ、長さ、幅又は形を有することが可能である一方、本発明の範囲及び主旨に尚も網羅されるものである。それらの好適な実施形態は、以下で更に詳しく説明するように、制約を伴わずに、以下の番号付けされた本発明の別個の形態を含む。
【００１７】
説明を明確にするために、特定の用語が一貫して明細書及び特許請求の範囲において用いられている。“鉛直方向”は、完成装置、材料ウェブ、材料層又は材料積層体の厚さなどに平行な方向のことをいう。“水平方向”は、完成装置の長さ又は完成装置に平行な方向のことをいう。“横方向”は、完成装置又は材料ウェブの幅、及び材料ウェブの幅方向（ＸＤ）に平行な方向のことをいう。“長手方向”は、完成装置の長さ又は材料ウェブの機械方向（ＭＤ）の長さなどの長さ、若しくは幅又は横方向広がりに対して垂直な方向のことをいう。“長手方向中心線”は、長い終端間の幅を二等分する、完成装置又は材料ウェブの長い軸と一致する。“横方向中心線”は、その長さに沿って中間で完成装置又は材料ウェブの長い終端を二等分し、長手方向中心線に対して垂直である。他に“隣接する”又は“連続的な”の目的語は“横方向”を意味し、完成装置又は材料ウェブの幅と一致する。“連続的な（次々の）”の目的語は一般に、縦方向に終端から終端まで方向付けられる。用語“上方（上部）”又は“下方（下部）”は、特に複数の平面図において、図面に関するオブジェクトの方向性をいうように用いられ得る。
【００１８】
破線又は点線は、オブジェクトに関して関係又は状況を説明する助けとして図中に用いられる。２つの短い点を伴う、それらの間にある長点に続く３つの短いスペースは、例示目的で、分解図などにおける分離を示し、若しくは、明確化のための又は処理又は方法の結果としての、１つ又はそれ以上のオブジェクトから取り除かれる又は分離されるオブジェクトを示す。間に短いスペースを伴う連続的な短い点から成るラインは、他のオブジェクトの下の一のオブジェクトのような、隠れたオブジェクトを示し、又は、明確化のために、オブジェクトが占めるであろう、占めるはずの又は占めた空間などの位置を示し、又は、例示目的で、下のオブジェクトを示すことが可能であるように、‘不可視’のオブジェクトを現すことが可能である。短いスペースが続く長い点、短い点及び他の短いスペースが、中心線又は角度を付記して又はアライメントを示して、括弧を伴って、オブジェクト又は複数のオブジェクトの断面、部分又は一部を付記して、若しくは１つ又はそれ以上のオブジェクト又はオブジェクトの群の間の空間的関係を示して、用いられる。
【００１９】
本明細書に添付している図においては、同じオブジェクトは一般に、複数のオブジェクトが互いに区別される必要がある場合を除いて、同じ参照番号で示されている。同じ参照番号又は参照文字に対応する複数のオブジェクトが１つの図に存在する場合、前記同じオブジェクトの一部のみが指し示されることがある。本文のはじめの説明の後にも、一部の参照番号、参照文字は、参照されるオブジェクトに対して繰り返して注意を促す必要性を見込んで、後の図においても示され得る。図はスケーリングして示していない。図においては、オブジェクトの厚さは一般に、分かり易くするように誇張して描かれている。
【図面の簡単な説明】
【００２０】
【図１】鼻に係合された本発明にしたがった鼻拡張器の斜視図である。
【図２】図１の鼻拡張器の展開斜視図である。
【図３】図２の鼻拡張器の分解斜視図である。
【図４】図３の鼻拡張器の対の平面図であり、それらの間に入れ子にした連続的な鼻拡張器ユニットの区画を更に示している。
【図５】本発明にしたがった鼻拡張器の第２の形態の分解斜視図である。
【図６ａ】本発明にしたがった鼻拡張器の第３の形態の製造処理の一部を示す斜視図である。
【図６ｂ】本発明にしたがった鼻拡張器の第３の形態の製造処理の一部を示す斜視図である。
【図７ａ】鼻拡張器の第３の形態の分解斜視図である。
【図７ｂ】鼻拡張器の第３の形態の対の平面図であり、それらの間に入れ子にした連続的な鼻拡張器ユニットの区画を更に示している。
【図８ａ】図７に示す鼻拡張器の第３の形態の変形の分解斜視図である。
【図８ｂ】図７に示す鼻拡張器の第３の形態の変形の分解斜視図である。
【図８ｃ】図８ａ及び８ｂに示す鼻拡張器の平面図である。
【図９】本発明にしたがった鼻拡張器の第４の形態の平面図である。
【図１０】本発明にしたがった鼻拡張器の第５の形態の平面図である。
【図１１】長い終端に対応する共通ラインに沿ってダイカットされた図９及び１０の鼻拡張器の弾性部材を示す部分平面図である。
【図１２ａ】本発明にしたがった鼻拡張器の第６の形態の平面図である。
【図１２ｂ】本発明にしたがった鼻拡張器の第７の形態の平面図である。
【図１３】本発明にしたがった鼻拡張器の第８の形態の平面図である。
【図１４】本発明にしたがった鼻拡張器の第９の形態の平面図である。
【図１５ａ】鼻拡張器の第９の形態の変形の分解斜視図である。
【図１５ｂ】図１５ａの鼻拡張器の平面図である。
【図１６】本発明にしたがった単独の矩形弾性部材バンド及び多弾性バンド構造の複数の実施例を示している。
【図１７】本発明にしたがった鼻拡張器の第１０の形態の分解斜視図である。
【図１８】本発明にしたがった鼻拡張器の第１１の形態の分解斜視図である。
【図１９】図９に示す鼻拡張器の第４の形態の代替の形態の平面図である。
【図２０】図９及び１９に示す鼻拡張器の代替の形態の平面図である。
【図２１】本発明にしたがった鼻拡張器の第１２の形態の平面図である。
【図２２】鼻拡張器の第１２の形態の代替の形態の平面図である。
【図２３】図１２ｂに示す鼻拡張器の代替の形態の平面図である。
【図２４】図９、１９及び２０に示す鼻拡張器の代替の形態の平面図である。
【図２５】図２４の鼻拡張器が、長い終端部分に沿って製造されるように構成され得ることを示す平面図である。
【発明を実施するための形態】
【００２１】
本発明にしたがった鼻拡張器１０の実施形態を図１に示している。使用するときにみられるように、鼻拡張器１０は、鼻１１に係合要素により固定される。鼻拡張器１０は、鼻拡張器１０が鼻筋を渡って固定されるとき、鼻腔壁にばね付勢力を加える装置の機能要素の結果として、皮膚から僅かに離れている水平方向突起部の形としての方向性要素を有する。
【００２２】
図２は、破線ｖで示す鉛直方向に積層された複数の層の積層体であって、その複数の層は、少なくとも１つのベース部材１４と、少なくとも１つ乃至６つの弾性部材２２を有する弾性層と、少なくとも１つのカバー部材を有するカバー層とを有する、積層体を有する。ベース部材、弾性部材又はカバー部材は、それらの一部として１つ又はそれ以上の構成要素を更に有することが可能である。１つの層の複数の部分が他の層を覆うことが可能である。剥離紙１５の保護層は、鼻拡張器を用いる前に何れかの他の層により露出した粘着剤を取り外し可能に覆う。剥離紙１５の形状及び寸法は、鼻拡張器１０の周縁に一致することが可能であり、又は１つ又はそれ以上の鼻拡張器１０の周縁を超えることが可能である。剥離紙１５は、使用する前に鼻拡張器からの取り外しを容易にするように、重なり合う又は隣接することが可能である２つの部分に分けられることが可能である。鼻拡張器の複数の層は、縫合、綴結、熱又は圧力接着、超音波接合などの何れかの適切な手段により、互いに係合されることが可能である。ベース層又はカバー層の１つの平坦な面の少なくとも一部は、弾性層の２つの平坦な面のうちの一の面に対して好適に積層される。鼻拡張器の複数の層は、破線で示す長手方向の中心線ａに沿って、好適に位置合わせされる。
【００２３】
鼻拡張器１０の周縁寸法はカバー層により画定されるが、また、ベース層により、若しくはカバー層及びベース層の組み合わせ又はそれらの一部によっても画定されることが可能である。ベース層及びカバー層は互いに、同じ寸法又は周縁形状を有することが可能である。鼻拡張器１０のベース層及びカバー層は交換可能であり、それらの一又は他が全体として又は一部が削減されることが可能である。
【００２４】
ベース層及びカバー層のすべて又は一部は、別個に又は組み合わされて、皮膚に鼻拡張器１０を固定するための生体適合性接着剤と共に、鼻拡張器１０の一次係合要素を備える。接着剤はまた、皮膚に直接接する必要があり、故に、皮膚に対する装置の係合の助けとなるように、機能要素において用いられることも可能である。係合要素それ自体は、鼻腔を拡張しないが、使用されるその材料に応じて、ある組織の安定性を提供することが可能である。機能要素はそれ自体で及び接着剤により皮膚に固定されて、一般に係合された状態を維持しない。したがって、本発明の鼻拡張器は、別個の機能要素及び係合要素を単独の本体装置に組み合わせるものである。
【００２５】
ベース層がカバー層よりかなり小さい表面積を有する場合、ベース層の皮膚係合側の接着剤は任意に削減されることが可能である。接着剤の有無に拘わらず、ベース層はまた、時間の長さがどれ位であろうと、皮膚と接したままの状態にある医療用装置に歴史的に共通しているように、装置と皮膚との間の圧縮性バッファとしての役割を果たす。本発明の鼻拡張器は、ある層の一部が頬の皮膚表面領域に実質的に広がっていないように設計されている。
【００２６】
ベース層及びカバー層について好適な材料は、呼吸可能であり、皮膚に心地よい広く利用可能である医療グレードの伸縮性不織合成繊維の群からのものである。種々の透明なフィルムを含む何れかの適切な繊維又は熱可塑性フィルムが用いられることが可能である。人間の外側の皮膚と生体適合性を有する圧力感応性接着剤が、その材料の少なくとも一の平坦な面に好適に備えられる。剥離紙ライナーの保護層が接着剤を覆う。好適な材料は典型的には、その材料の幅方向（ＸＤ）又はフィル（ｆｉｌｌ）に対して垂直である機械方向（ＭＤ）又はワープにおいてロール巻き状で利用可能である。本発明の製造方法は、その材料の機械方向に対して平行に形成されたベース層及びカバー層を有するが、それらの層は、その材料のワープ又はフィルに対して平行に製造されることが可能である。
【００２７】
弾性層についての好適な材料は、広く入手可能である二軸配向ポリエステル樹脂（ＰＥＴ）であり、熱可塑性フィルムはそのワープ及びフィルの両方に渡って適切なばね不勢特性を有する。ＰＥＴは、多数の医療装置用途で用いられ、特に、鼻腔拡張装置に適する。そのフィルムは、接着剤を覆う剥離紙ライナーの保護層が一の面又は両方の面に備えられた圧力感知接着剤を有することが可能である。ＰＥＴは、ベース層材料の接着側から非接着側に、好適なベース層材料に対して積層されることが可能であり、故に、鼻拡張器１０の弾性層及びベース層は、同じ周縁形状に同時に製造することが可能である。
【００２８】
鼻拡張器１０の機能要素は、適切な範囲内のばね復帰付勢力を与えるように構成される。ばね付勢力は、鼻拡張器１０の弾性層により生成され、その付勢力の大きさは、弾性部材の構成、並びに弾性部材の長さ、幅及び厚さにより決定される。弾性層は好適には、鼻拡張器１０の他の層、部材又は構成要素に対してそれを係合する又は積層するための、若しくは鼻腔外側壁組織に接着するための、対向する２つの平坦な面の側の少なくとも一の側の少なくとも一部に備えられた接着性物質を有する。図２は、図１、３及び４に示す突起部１２に実質的に適合する鼻拡張器１０の端縁の一部と位置合わせする終端部分２３を有する弾性部材２２を示している。
【００２９】
図３及び４は、鼻拡張器１０の複数の層が角括弧ｃで示す水平方向の長さ又は長手方向の広がりを有する単一の又は単独の本体、即ち、トラス３０を構成することを示している。トラス３０は、第１終端領域３２と、第２終端領域３４と、第２終端領域３４に第１終端領域３２を結合する中間領域３６とを有する破線及び括弧でおおよそ示されている連続領域を有する。中間領域３６の幅は好適には、終端領域３２及び３４の幅より狭い。何れかの層の一部は、トラスの領域を又はトラスの一部を画定することが可能である。鼻拡張器１０の複数の層、複数の部材又は複数の構成要素は、一の領域から他の領域に広がり得る。終端領域３２及び３４は、第１鼻通路及び第２鼻通路のそれぞれの外側壁組織を係合するように適合される。各々の端領域は端縁３３を有する。
【００３０】
鼻拡張器１０は、その複数の層又はそれら複数の層が形成される材料ウェブに対する設定又は修正を介して方向性要素を有する。方向性要素は、材料の形状の不連続部、材料分離部又は突起部を形成するように、切断部、切り欠き部、開口部などにより構成されることが可能である。材料分離部は、層を形成する過程で鼻拡張器の層又は対応する材料ウェブにおいて構成される、又は材料積層体において構成される、又は鼻拡張器１０として構成されることが可能であり、又はその複数の層は積層構造体からダイカットされる。端縁３３は、各々の端縁３３から内向きに延びているバックカットとして形成され、終端部分２３の長い終端と、それに隣接する対応する上方又は下方タブ伸延部３５との間に位置付けられた材料分離部１３の形にある方向性要素を有する。材料分離部１３及び終端部分２３は共に、トラス３０の終端領域３２及び３４において突起部１２を画定する。タブ伸延部３５は、突起部１２を超えて水平方向に好適に延びている。
【００３１】
材料分離部１３，突起部１２により画定される方向性要素は、図１に示すように、鼻に係合される。材料分離部１３は、少なくとも一部においてフォーカシングされるばね付勢力の角度における変化を可能にし、故に、一次剥離力及び引っ張り力から一次せん断力にそれらの力の少なくとも一部を変える又は変換することを可能にする。前記角度の変化は更に、材料分離部を超えて延びるタブ伸延部３５などの終端領域の表面領域を係合する組織に前記変換された力を再配分する又は与える。ばね付勢力は、故に、より小さい範囲に与えられる、剥離力による力などのより大きい脱積層化傾向とは逆の、終端領域３２及び３４の横方向の幅及び長手方向の範囲に対して与えられる。せん断力は、剥離力に比べて、鼻拡張器１０の係合要素に備えられた組織係合接着剤により、より容易に持ちこたえられる。
【００３２】
方向性要素は、例えば次第に変化する幅を形成することにより、弾性層若しくは鼻拡張器の部材又は構成要素の寸法を変えることにより、鼻拡張器から延びる弾性部材又は分岐構成要素の周縁形状により、若しくは、鼻拡張器１０の前ばね付勢力の一部に程度が異なるように各々寄与する、異なる厚さ及び幅の弾性部材を有する複数の弾性部材を利用することにより、弾性層において形成されることも可能である。異なる幅及び厚さを有する多弾性部材は、鼻拡張器の全体的な周縁寸法、弾性層の寸法及び弾性部材バンド（ｂａｎｄ）の全数に関して機能要素に影響を与える又はその機能要素を管理する。変化した幅又は厚さを有する多弾性バンドは、特に３つ又はそれ以上の弾性バンドが用いられる場合に、所望のばね付勢力を得ることにおけるより広い汎用性及びより高い精度を可能にする。
【００３３】
図４に示すように、トラスは、横方向の中心線ｂの両側に関して対称性を有し、長手方向の中心線ａの両側、即ち、他のミラー画像である両側に関して対称性を有する。図４に示す上方の鼻拡張器１０は、それぞれの中心線ａ間で延びている角括弧ｄで示すように横方向に間隔を置いている。その横方向の間隔の量は鼻拡張器の加工において典型的であり、その場合に、完成装置又は装置要素が製造される材料は複数の完成装置の間隔を空けるマトリックスとしても用いられる。
【００３４】
図４における角括弧及び破線は、鼻拡張器が、略終端領域に対応する長い終端の部分が共通のダイカットライン上に形成されるように、製造処理において長手方向で互い違いにされることを示している。さらに、鼻拡張器は、２つの連続的な装置の周縁の２つの対向する終端領域が、対向するタブ伸延部３５間に延びている装置の長い終端間の、且つその長い終端と実質的に共通のラインに関する空間に収まるように、構成される。本発明の実施形態は、パッケージングを容易にするように、複数の完成装置の列の間隔を空けるように、共通ラインに関して又は近接して製造されることが可能である。図４は、長手方向に間隔を空けた複数の装置間に延びている材料が装置構成においてどのように利用され得るかを、破線で示している。本発明の鼻腔拡張装置は好適には、製造処理の機械方向に対して平行な長手方向で製造される。
【００３５】
好ましいベース層材料は一般に、好ましい弾性層材料より測定単位当たりのコストが低いが、好ましいカバー層材料よりコストは高い。同じ周縁に対して同時にベース層部材及びカバー層部材を形成することはしばしば適切である一方、本実施形態においては、ベース層材料の歩留まりを向上させることが可能である完成装置における部分ベース層を例示している。
【００３６】
図５は、本発明にしたがった鼻拡張器１０の第２の形態の実施形態を示している。その装置は、部分ベース層及び単独の矩形弾性部材を特徴とする。その装置の端縁は、鼻がユーザの頬と交わるラインに一般に一致するように内向きに角度が付けられている。剥離紙１５は２つの部分に分かれていない。それに代えて、その幅は、鼻拡張器１０の周縁を超えて、使用する前にユーザが剥離紙１５から鼻拡張器１０を分離するとして理解することができる中間領域の各々の側に、側部突起部１６と共にリップ部を与える。
【００３７】
図６ａは、本発明にしたがった鼻拡張器の第３の形態の製造処理の一部を示している。複数の閉じたダイカットライン５２は、互い違いに間隔を置いて離れて周縁を画定する複数の鼻拡張器を構成している。ダイカットライン５２は、鼻拡張器ダイカットの複数の層に対応する材料ウェブ及び材料ストランドを有する、材料積層体４０の下面における紙ライナー４２’に対して鉛直方向に延びているが、紙ライナーを貫通してはいない。（紙ライナー４２’は、明確にするためにその図において拡大して示している。）図６ｂにより明確に示しているように、鼻拡張器ダイカットの周囲の及びそれらの間に広がっている不要な材料マトリックスは除去され、紙ライナー４２’に剥離可能に固定された間隔を置いて離れている複数の完成鼻拡張器１０が残る。
【００３８】
このように、複数の完成鼻拡張器が、ライナー４２’上に集合として効率的に得られる。しかしながら、複数の完成装置を分割するように、図６ｂにおいて、紙ライナー４２’を貫通して鉛直方向に且つ横方向に隣接する鼻拡張器１０の長い終端の間の空間において長手方向に延びている連続的なスリット４５を示している。スリット４５は、完成鼻拡張器を、又は紙ライナー４２’又は隣接するスリット４５の外側の長い終端を横断しない。スリット４５はまた、何れかの構成において完成鼻拡張器間で延びているが、本発明の実施形態においては、紙ライナー４２’を複数の細長い完成ストランド３９に分割することが可能である。
【００３９】
各々のストランド３９は、その上に剥離可能に固定された連続的な複数の完成鼻拡張器１０を有する。紙ライナー４２’の各々の外側の長い終端に隣接するスリット４５はストランド３９の１つの長い終端を画定し、紙ライナー４２’の各々の外側の長い終端と共に、外側の不要なストランド４７を構成する。十字状のスリットが、１つ又はそれ以上の鼻拡張器１０を有する部分にストランド３９を分割するように、横方向にスリット４５間で延びることが可能である。ストランド３９の長い終端の実質的な一部は、連続的な鼻拡張器１０に対応する連続的な剥離紙１５の長い終端を画定する。
【００４０】
図７ａに示すように、剥離紙１５の周縁終端は、故に、各々の鼻拡張器１０の周縁の外側に形成され、ユーザが剥離紙から鼻拡張器１０を分離するとして理解することが可能である中間領域３６の各々の側における側部突起部１６及びリップ部を与える。図７は、矩形の中間部分から横方向に延びている発散性構成要素を各々有する隣接する弾性部材２２も示している。弾性部材構成要素２２’は、装置終端領域のより大きい横方向表面領域までばね付勢力を広める方向性要素を有する。構成要素２２’は、より短い、より長い、異なる幅を有する、勾配を有する、曲線的であるなどが可能であり、各々の終端領域において異なって構成されることが可能である。
【００４１】
図７ｂにより詳細に示すように、鼻拡張器１０は、その中心線ｂの両側に関して対称的であり、その長手方向の中心線ａの両側に関して対称的である。材料分離谷部２１は、弾性部材終端部分２３間に置かれた各々の端縁３３から内向きに延びている。谷部２１は何れの形状も有することが可能であり、材料分離部１３のように、以下に説明するように、せん断力に対するばね付勢剥離力の変化及び突起部１２の分離を容易にするように構成されている。図７ｂは更に、図４に関連して上で説明したように、鼻拡張器１０の周縁形状が共通線ダイカッティングの助けとなる破線を示している。
【００４２】
図８は、図７の鼻拡張器の変形を示している。その弾性部材は、トラスの中間領域から外側に延びている発散性構成要素２２’も有する。代替として、ベース部材１４は、図８ｂに示すように、弾性部材と同じ周縁形状を有することが可能である。
【００４３】
図９及び１０は、本発明にしたがった第４及び第５の鼻拡張器を示している。図９に示す鼻拡張器は、実質的に矩形の中間部分から横方向に広がった発散性弾性部材構成要素２２’を有する。その発散性構成要素は、トラスのそれぞれの終端領域に実質的に一致している。トラスの終端領域も、同様に、横方向に広がっている。図２７に示す予備装置は、各々の終端領域においてトラスのばね付勢力を減少させる方向性要素を構成する、より広い矩形部分からより狭い終端部分２３に次第に狭くなる長い終端を有する弾性部材を特徴とする。次第に狭くなる部分の長手方向の広がりは鼻拡張器終端領域に一致し、終端部分は、隣接する材料分離部１３を有する突起部１２に一致する。
【００４４】
図９の鼻拡張器の弾性部材の長い終端は、図１０に示す鼻拡張器弾性部材の長い終端に一致する。更に、図１０の鼻拡張器に示す弾性部材の矩形部分の長さは、図９の鼻拡張器に示す弾性部材の矩形部分の長さと同じである。したがって、両方の弾性部材は、図１１に示すように、それらの長い終端に一致する共通ラインに沿って同じ弾性部材材料から同時にカットされたダイであるように構成される。
【００４５】
図１２ａ及び１２ｂは、本発明にしたがった鼻拡張器の第６及び第７の形態を示し、それらにおいて、それらの弾性部材構造は、同じ弾性部材材料から同時に形成されるように構成されることが可能である。各々の図における弾性層構造間には動的関係が存在する。例えば、図１２における破線は、図１２ａの左側の鼻拡張器１０の上方弾性部材と下方弾性部材との間の間隔と一致している、図１２ｂの右側の鼻拡張器１０の上方弾性部材の幅を示している。前者の幅は後者の間隔を決定し、その逆に決定することもできる。
【００４６】
図１２ａの鼻拡張器は、一般に終端領域３２及び３４に沿って終端部分２３及び突起部１２まで延びている次第に狭くなる部分を各々有する２つの同一の隣接する弾性部材を有する。（任意の第３の弾性層部材はそれらの間に位置付けられることが可能であり、３つの横方向に連続する弾性部材と共に弾性層を構成する。）また、次第に狭くなる部分は、トラスのばね付勢力を減少させる方向性要素である。
【００４７】
図１２ｂの鼻拡張器１０は水平方向には対称的であるが、横方向には非対称的である。横方向中心線ｂの各々の側におけるトラスの各々の水平方向の半分は他の半分の鏡像である。トラスの上半分は長手方向中心線ａに対して平行に形成される。下半分は、トラスの各々の終端領域において長手方向中心線ａから発散する。上方弾性部材２２は鼻弁と位置が合っている一方、下方弾性部材２２は、鼻孔又は鼻前庭の外側の壁組織をうまく係合するように発散性弾性部材構成要素２２’を有する。下方タブ伸延部３５は発散性弾性部材構成要素に一致している。２つの弾性部材２２の各々は異なる幅を有することが可能であり、上方部材は、この場合には、下方部材より僅かに広くなっている。谷部２１は、上方弾性部材と下方弾性部材との間の狭く細長い開口として形成される。
【００４８】
図１３は、それぞれのより短い長い終端に沿って近傍に位置付けられた隣接する弾性部材２２を有する、本発明にしたがった鼻拡張器の第８の形態を示している。次第に狭くなる部分は、トラス３０の長手方向中心線の近傍で内側から外側に延びて、トラスのばね付勢力を低減させる方向性要素を構成する。それらの傾斜終端も、谷部２１を構成する空間をつくる。突起部１２は、故に、材料分離部１３及びタブ伸延部３５にすぐ隣接して位置付けられる。この終端構造は、以下で説明するように、せん断力に対するずれ剥離力の所望の設計実践に導く。
【００４９】
図１３は、トラスが横方向中心線ｂの両側に関して対称的であり、その長手方向中心線ａの両側に関して対称的であることを更に示している。両側は他の側の鏡像である。横方向に隣接する拡張器は、上で図４に破線で示してその図に関連して説明しているように、それらの長い終端の実質的にすべてが共通のダイカットライン上に形成されるように製造されるときに、縦方向に互い違いにされることが可能である。共通するダイカットラインの形成を容易にするように、上方及び下方タブ伸延部３５の内側の横方向終端は同じ角度及びコーナー半径に形成される。更に、２つの連続的な拡張器周縁の２つの向かい合った終端領域の長い終端が、タブ伸延部の内側の横方向終端間の且つそれら横方向終端との共通ライン上の空間と、どちらかの側に隣接する拡張器周縁のタブ伸延部間のトラスの長い終端とに適合するように、トラス領域は構成される。
【００５０】
図１４及び１５の鼻拡張器１０は、本発明にしたがった鼻腔拡張装置の第９の形態の変形を示している。各々の鼻拡張器の弾性層は３つの弾性部材バンドを有する。最外部バンドは、実質的にまっすぐな中間弾性部材の長い終端に隣接して位置付けられる。発散構成要素２２’は、トラスの終端領域３２及び３４においてばね付勢力を広げる。材料分離部１３は各々のタブ伸延部３５に隣接し、谷部２１は、中間突起部１２と上方及び下方突起部１２との間でそれらの両側に位置付けられる。図１５ａは、鼻拡張器１０のベース部材１４が、弾性層の少なくとも周縁範囲と拡張器１０により係合される肌表面との間に挟まれ、ベース部材周縁は弾性層に実質的に一致するが、弾性層及びカバー層の両方とは異なることを示している。図１５ｂは、鼻拡張器１０が図１４の鼻拡張器に全体的な外観で似ていることを示している。
【００５１】
図１６は、単独の矩形弾性部材バンド及び多弾性バンド構造の複数の実施例を示している。簡単にするために、多バンドが実質的に同じ幅で示され、互いに平行に近接して配置されている。その図の最上部においては、一弾性バンドが示され、その下の弾性バンドの対は、鼻拡張器の技術においてみられる平均的な且つ代表的な構成を示している。その下には、三バンド構造が、一バンド構造又は二バンド構造において一般にみられるばね付勢力に対してばね付勢力の量を、ある程度又はある割合だけ増加させるように用いられることが可能である。一乃至三バンドの同じ又は類似するばね付勢も、より狭い四バンドにおいて広げられることが可能である。更に、一乃至四バンドにより生成される増加したばね付勢は、弾性部材が異なる厚さの別個の弾性層材料から形成される場合のように、異なる幅又は厚さを有することが可能である。したがって、弾性層構造は、異なる厚さ及び異なる幅の両方を有する多バンドを有することが可能である。
【００５２】
図１７は、本発明にしたがった鼻拡張器の第１０の形態の変形を示している。鼻拡張器１０は、次第に長さが減少する３つの平行な弾性部材２２を有する。弾性部材が同じ幅及び厚さを有する場合、より短いバンドは、より長いバンドより大きいばね付勢力を有するであろう。終端１３（突起部１２、谷部２１、分離部１３及びタブ伸延部３５）の要素は一般に、破線で示しているように、弾性バンドの長さによって確立される内向きの角度に一致する。その角度は一般に、鼻が頬と接するラインに一致する。
【００５３】
図１８の鼻拡張器は、本発明にしたがった鼻拡張器の第１１の形態の変形を示している。鼻拡張器１０は６つの平行な狭い弾性部材２２を有する。間にある２つの谷部２１により分離される各々の終端３３における３つの突起部１２の各々は、２つの隣接する弾性部材２２の終端部分２３に一致する。材料分離部１３は、最上部弾性部材バンドの上方コーナー及び最下部弾性部材バンドの下方コーナーに隣接している。
【００５４】
図１９及び２０は、弧状形状を有する多弾性バンドの鼻拡張器を示している。弧状鼻拡張器の中間領域は、鼻弁及び鼻前庭両方に隣接する外壁組織を係合するように、鼻のブリッジ上で僅かに高い状態にあり、その終端領域は水平方向にまっすぐな鼻拡張器の中間領域より低いが対応して位置付けられる。
【００５５】
図１９及び２０の鼻拡張器は図９の鼻拡張器に全体的な外観が似ていて、トラスの発散終端領域は弾性部材発散構成要素２２’に一致している。それらの実施形態の各々においては、弾性部材発散構成要素は、弧状の又は曲がった形状を有する外観を鼻拡張器に与えるように、実質的に矩形の中間部分から離れる方向に広がっていて、その中間部分は、トラスの一般に矩形の中間領域に一致している。図１９及び２０の鼻拡張器の弾性層構造は、代替として、三、五又は六弾性部材バンドを有することが可能である。
【００５６】
上記のように、鼻拡張器弾性部材は、異なる厚さを有する複数のウェブから構成されることが可能である。例えば、より厚い厚さを有する第１材料ウェブから形成される複数の弾性部材は、より薄い厚さを有する第２材料ウェブから形成される第２の複数の弾性部材と混ぜられることが可能である。故に、多バンド弾性層構造は、より厚い又は薄い厚さの弾性部材を有することが可能である。
【００５７】
図２１及び２２は、本発明にしたがった鼻拡張器の第１２の形態を示している。各々の鼻拡張装置は曲がった弧状形状を有する。特に中間領域におけるトラスの長い終端は、２つの平行な弾性部材と同じ曲率に実質的に従う。上方タブ伸延部及び下方タブ伸延部３５の長い終端は、同様に又は類似して曲がっていることが可能である。下方弾性部材は上方部材より長く、下方タブ伸延部３５は、上方伸延部３５を僅かに超えて延びている。トラスの端縁要素は、故に、破線で示しているように、鼻が頬と接するラインに一般に一致するように、内向きに角度が付けられている。
【００５８】
図２２は、図２１に示す鼻拡張装置の四バンド弾性層バージョンである。トラスの弧状形状は、４つの平行な弾性部材の曲率に実質的に倣う。トラスの端縁要素は、破線で示しているように、弾性部材の次第に短くなる長さに従って、内向きに角度が付けられている。終端部分２３は、トラスの各々の端縁において、間に谷部２１を有するそれぞれの突起部１２に一致する。図２１及び２２の鼻拡張器の弾性層構造は代替として、三、五又は六弾性部材バンドを有することが可能である。
【００５９】
図２３は、トラスが水平方向に対称的であり且つ横方向に非対称的である点で、図１２ｂに示す鼻拡張器に似た半弧状鼻拡張器を示している。上方タブ伸延部３５及び上方弾性部材２２は、鼻弁にすぐ隣接する組織と位置合わせするように意図された、トラスの長手方向中心線に対して平行である。下方弧状弾性部材終端は、鼻孔又は鼻前庭に隣接する鼻外壁組織と位置が合っている。下方タブ伸延部３５は、同様に、発散し、上方タグ伸延部３５を僅かに超えて延びることが可能である。トラスの端縁要素は、故に、破線で示しているように、鼻が頬と接するラインに一般に一致するように、内向きに角度が付けられている。
【００６０】
図２４は、図９、１９及び２０に示す鼻拡張器に似たような弧状形状を有する他の鼻拡張器を示している。しかしながら、本実施形態は、鼻拡張器１０が、図２５により明確に示しているように、そして図４、７ｂ及び１３の鼻拡張器に関連して図示し且つ説明しているのと同様に、長い終端の部分に沿って形成されるように構成されることが可能である。図２４に示しているように、鼻拡張器１０は横方向中心ラインｂの両側に関して対称的である。しかしながら、各々の終端領域はそれ自体、その長手方向中心線ａの各々の側に関して対称的である。
【００６１】
本発明の実施形態においては、広範な発散性及び複合性鼻拡張装置を含む、外側の組織を拡張するための装置を提供している。
【図１】
2014513559.tif 000003
【図２】
2014513559.tif 000004
【図３】
2014513559.tif 000005
【図４】
2014513559.tif 000006
【図５】
2014513559.tif 000007
【図６ａ】
2014513559.tif 000008
【図６ｂ】
2014513559.tif 000009
【図７ａ】
2014513559.tif 000010
【図７ｂ】
2014513559.tif 000011
【図８ａ】
2014513559.tif 000012
【図８ｂ】
2014513559.tif 000013
【図８ｃ】
2014513559.tif 000014
【図９】
2014513559.tif 000015
【図１０】
2014513559.tif 000016
【図１１】
2014513559.tif 000017
【図１２ａ−１２ｂ】
2014513559.tif 000018
【図１３】
2014513559.tif 000019
【図１４】
2014513559.tif 000020
【図１５ａ】
2014513559.tif 000021
【図１５ｂ】
2014513559.tif 000022
【図１６】
2014513559.tif 000023
【図１７】
2014513559.tif 000024
【図１８】
2014513559.tif 000025
【図１９】
2014513559.tif 000026
【図２０】
2014513559.tif 000027
【図２１】
2014513559.tif 000028
【図２２】
2014513559.tif 000029
【図２３】
2014513559.tif 000030
【図２４】
2014513559.tif 000031
【図２５】
2014513559.tif 000032